(57)【要約】      （修正有）【課題】携帯電話を利用して、安価で手軽に遠隔監視と盗難防止ができるリモートコントロール機能を備えた携帯電話及び情報端末を提供する。【解決手段】ＧＰＳ機能とＩＰ機能を装備し、画像や文字、音声を送受信できる携帯電話において、本体内蔵のカメラを外部延長カメラと切替え可能にし、電源アダプターを複数用意し、任意の場所に設置可能とし、ローカル、リモート（携帯電話、ＰＣ等）よりの監視コマンドにて監視モードとなり、ＧＰＳからの位置情報を演算し盗難を監視する。盗難発生と判断された時、自動的にカメラにて撮影し画像と位置情報を予め登録した携帯電話、ＰＣと、リモートによる監視コマンド送信先に配信する。画像送信要求コマンドや位置情報送信要求コマンド等を受信すれば、自動的に動作し要求先に配信する。【選択図】図２
2004318782.tif 000002
【特許請求の範囲】
【請求項１】
ＧＰＳ機能とＩＰ機能を装備し、画像、文字、位置情報を送受信できる携帯電話において、本体内蔵のカメラと外付け延長カメラを作動切替え可能にし、電源アダプターを複数用意し、任意の場所に設置可能とし、ローカル、リモート（携帯電話、ＰＣ等）よりの監視コマンドにて監視モードとなり、ＧＰＳからの位置情報を受信、演算し盗難を監視する。盗難発生と判断された時、自動的にカメラにて画像を撮影し画像と位置情報を予め登録した携帯電話、ＰＣと監視コマンド要求先に配信する。更に画像送信要求コマンドや位置情報送信要求コマンド等を受信すれば、自動的に動作しコマンド要求先に配信する事を特徴とするリモートコントロール機能を備えた携帯電話及び情報端末。
【請求項２】
監視コマンドを受信すると、ＧＰＳからの位置情報を数秒間受信し、位置を確定後に基準値とする。そして確定された範囲の基準値より逸脱した時、盗難発生感知と判断しているので、センサーレスが実現できる事を特徴とする請求項１記載のリモートコントロール機能を備えた携帯電話及び情報端末。
【請求項３】
監視コマンド、音声送信コマンド、画像送信要求コマンド、位置情報送信要求コマンドを各個機能させ、各種用途に対応できる事を特徴とする請求項１記載のリモートコントロール機能を備えた携帯電話及び情報端末。
【請求項４】
電源アダプターをＡＣ１００Ｖ、ＤＣ６Ｖ、ＤＣ１２Ｖ、ＤＣ２４Ｖと各種用意し、各種用途に対応できる事を特徴とする請求項１記載のリモートコントロール機能を備えた携帯電話及び情報端末。
【請求項５】
各種コマンドはユーザーが定義し変化するＩＤ番号を有し、不一致の場合動作せず、無視する事を特徴とする請求項１記載のリモートコントロール機能を備えた携帯電話及び情報端末。
【発明の詳細な説明】
【０００１】
【産業上の利用分野】本発明は、安価で手軽に設置でき、遠隔監視と盗難防止が、それぞれ任意の場所と時間で可能な、携帯電話および情報端末に関する。
【０００２】
【従来の技術】従来、セキュリティー分野において、安価で手軽に遠隔監視や盗難防止が出来る方法はなく、専門企業が高額なシステムを販売するのみで、一般個人レベルでの利用は皆無であった。
【０００３】
【発明が解決しようとする課題】周知の事実として公開特許広報の公開番号、特開２００１−５３９０５（Ｐ２００１−５３９０５Ａ）、発明の名称、セキュリティー機能付き携帯電話、において、発明の実施の形態に記載の人体センサー、熱センサー、光センサー、振動センサー等目的に合ったセンサーを接続する。とある。これは個人レベルを超える専門分野であり、誰にでも容易に設置する事は容易ではなく、センサーの性能、仕様を理解しなければならない。更にセンサー用に電源を供給する必要があり、携帯電話が内蔵している既存の電源での接続に課題があり、現存する各センサーは同一仕様に成り得ない、新たに電源の開発、各センサーの開発が必要である。これらの課題を解決するため、本発明は新たに電源の開発、各センサーの開発は必要なく、請求項２記載の盗難発生感知方法の、ＧＰＳからの位置情報を数秒間受信し、位置を確定後に基準値とする。そして確定された範囲の基準値より逸脱した時、盗難発生と判断するので、センサーレスが実現できる事を特徴とするリモートコントロール機能を備えた携帯電話及び情報端末。
【０００４】本発明は、そのような問題点を解決しようとするものであり、安価で手軽に誰にでも設置することが可能な、遠隔監視と盗難防止ができるリモートコントロール機能を備えた携帯電話及び情報端末を、提供する事を目的とするものである。
【０００５】
【課題を解決するための手段】上記目的を達成するために、本発明のリモートコントロール機能を備えた携帯電話及び情報端末は、ＧＰＳ機能とＩＰ機能を装備し、画像や文字、音声を送受信可能で、本体内蔵のカメラを外付け延長カメラと切替え可能にし、電源アダプターを複数用意し、本体を任意の場所に設置可能とし、ローカル、リモート（携帯電話、ＰＣ等）よりの監視コマンドにて監視モードとなり、ＧＰＳからの位置情報を演算し盗難を監視する。盗難発生と判断された時、自動的にカメラにて撮影し画像と位置情報を予め登録した携帯電話、ＰＣと、監視コマンド送信先に配信する。更に画像送信要求コマンドや位置情報送信要求コマンド等を受信すれば、自動的に動作し要求先に配信する事を特徴とする。
【０００６】
【発明の実施の形態】以下、本発明の実施の形態について説明する。しかしながら本発明の技術的範囲が、本実施の形態に限定されるものではない。
【０００７】図１は、リモートコントロール機能を備えた携帯電話及び情報端末のシステム構成図である。車両を監視及び盗難防止の目的としての応用例で、▲１▼携帯電話を任意の場所に置き、▲２▼電源アダプターと、▲３▼外付け延長カメラを取り付ける。（外付け延長カメラは必須でなく、携帯電話に装備されている内蔵カメラを使用しても良い）インターネット等を経由して、▲４▼携帯電話及び情報端末及びパソコン等と送受信を行う。
【０００８】図２は動作フローである。携帯電話としての機能はステップＳ１０１で実行し、以下▲４▼携帯電話及び情報端末及びパソコン等からのコマンドをステップＳ１０２〜Ｓ１０４にて判断し、コマンドが送信されなければステップＳ１０１に戻り、既存の携帯電話の機能で動作する。この状態で画像送信要求コマンドを受信すると、ステップＳ１０５にて画像撮影し、ステップＳ１０６にて画像を、予め登録されている所と、要求先に配信する。同じように位置送信要求コマンドを受信すると、ステップＳ１０７にてＧＰＳからの位置情報を受信し、ステップＳ１０８にて位置情報を、予め登録されている所と、要求先に配信する。
【０００９】監視コマンドを受信すると監視モードとなり、ステップＳ１０９にてＧＰＳからの位置情報を受信し、ステップＳ１１０にて位置情報を演算する。ステップＳ１１１にて盗難発生と判断されると、ステップＳ１１２〜Ｓ１１４に移行し、画像撮影を行い画像と位置情報を、予め登録されている所と、要求先に配信する。更にステップＳ１１５にて予め登録されているメッセージを音声にて流し、証拠となる画像を撮影したことを伝える。
【００１０】本発明の保護範囲は、上記の形態に限定されず、特許請求の範囲に記載されている発明とその均等物に及ぶものである。
【００１１】
【発明の効果】以上、本発明によれば、安価で手軽に任意の場所に設置出来るので、移動体、非移動体に関係なく、遠隔監視及び盗難防止が出来る。
【００１２】監視コマンドを受信すると、ＧＰＳからの位置情報を数秒間受信し、位置を確定後に基準値とする。そして確定された範囲の基準値より逸脱した時、盗難発生と判断しているので、センサーレスを実現し、遠隔監視及び盗難防止が出来る。
【００１３】短時間で使用する場合、電源アダプターや外付け延長カメラを接続することなく、携帯電話をさりげなく置くだけで、遠隔監視及び盗難防止が出来る。
【００１４】各個機能するコマンドの、位置送信要求コマンドは、輸送会社等で現在地を確認するケースが多々あるが、車を運転中等で運転操作の気を妨げることなく、車両の現在位置をモニターする事できるので、リアルタイムで的確な指示を伝えられる。
【００１５】各個機能するコマンドの、音声送信コマンドは、車を運転中等で運転操作の気を妨げることなくメッセージで指示を伝える事が出来る。
【００１６】各個機能するコマンドの、画像送信要求コマンドは、輸送会社等の車両運転中で運転手の居眠りが問題視されている。運転室は閉ざされている事が原因のひとつとして考えられる。常時あるいは必要な時に画像をモニターする事により、業務遂行責任と危機管理の意識を持たせる事が出来る。
【図面の簡単な説明】
【図１】本発明による、リモートコントロール機能を備えた携帯電話及び情報端末のシステム構成図である。
▲１▼携帯電話
▲２▼ＡＣ、ＤＣ電源アダプター
▲３▼外付け延長カメラ
▲４▼携帯電話及び情報端末及びパソコン
▲５▼ルームミラー
【図２】動作フローである。
【図１】
2004318782.tif 000003
【図２】
2004318782.tif 000004